(57)【要約】【課題】自動再送制御が適用される無線通信システムにおいて、誤りを適切に訂正可能であり、且つ誤りの訂正に伴う処理負荷を大幅に低減する。【解決手段】本発明に係る無線端末１００は、送受信部１２０、復号部１３０および応答送信部１５０を備える。復号部１３０は、符号化ビット系列を構成する複数の符号化ビットの一部からなるブロック毎に誤りビットを含むか否かを判定する。応答送信部１５０は、誤りビットを含むと判定されたブロックの再送を無線基地局に要求する。送受信部１２０は、誤りビットを含むと判定されたブロックを無線基地局から複数回受信する。復号部１３０は、送受信部１２０が受信した複数のブロックにおいて誤りビットと同位置の各ビットを用いた多数決によって、訂正ビットを決定する。【選択図】図３
2010010952.tif 000002
【特許請求の範囲】
【請求項１】
複数のビットによって構成されるビット系列を他の無線通信装置から受信する無線通信装置であって、
前記ビット系列を構成する前記ビットの一部からなるブロック毎に誤りビットを含むか否かを判定する誤り判定部と、
前記誤り判定部によって前記誤りビットを含むと判定された前記ブロックの再送を前記他の無線通信装置に要求する再送要求部と、
前記誤り判定部によって前記誤りビットを含むと判定された前記ブロックを前記他の無線通信装置から複数回受信する受信部と、
前記受信部が受信した複数のブロックに基づいて、前記誤りビットを訂正した訂正ビットを決定する決定部と
を備え、
前記決定部は、前記受信部が受信した前記複数のブロックにおいて前記誤りビットと同位置の各ビットを用いた多数決によって、前記訂正ビットを決定する無線通信装置。
【請求項２】
前記ビット系列は、前記他の無線通信装置において、所定のトレリス線図に従った符号化規則を用いる畳み込み符号化により生成され、
前記誤り判定部は、前記符号化規則に反するビットを前記誤りビットとして、前記ブロック毎に前記誤りビットを含むか否かを判定する請求項１に記載の無線通信装置。
【請求項３】
前記決定部は、
前記符号化規則に応じて、前記訂正ビットの候補である訂正ビット候補を前記誤りビットと同位置のビットそれぞれから生成し、
生成した複数の訂正ビット候補間の多数決によって、前記訂正ビットを決定する請求項２に記載の無線通信装置。
【請求項４】
前記誤り判定部は、前記誤りビットと、前記決定部によって決定された前記訂正ビットとの間のハミング距離またはユークリッド距離を訂正エネルギーとして算出し、
前記再送要求部は、前記訂正エネルギーが予め定められた閾値よりも大きい場合に、前記誤りビットを含むと判定された前記ブロックの再送を前記他の無線通信装置に改めて要求する請求項１〜３のいずれか１項に記載の無線通信装置。
【請求項５】
複数のビットによって構成されるビット系列を前記他の無線通信装置から受信する無線通信装置において用いられる無線通信方法であって、
前記ビット系列を構成する前記ビットの一部からなるブロック毎に誤りビットを含むか否かを判定するステップと、
前記判定するステップにおいて前記誤りビットを含むと判定された前記ブロックの再送を前記他の無線通信装置に要求するステップと、
前記判定するステップにおいて前記誤りビットを含むと判定された前記ブロックを前記他の無線通信装置から複数回受信するステップと、
前記受信するステップにおいて受信した複数のブロックに基づいて、前記誤りビットを訂正した訂正ビットを決定するステップと
を備え、
前記決定するステップでは、前記受信するステップにおいて受信した前記複数のブロックにおいて前記誤りビットと同位置の各ビットを用いた多数決によって、前記訂正ビットを決定する無線通信方法。
【発明の詳細な説明】
【技術分野】
【０００１】
本発明は、自動再送制御が適用される無線通信装置および無線通信方法に関する。
【背景技術】
【０００２】
無線通信システムでは、有線通信システムと比較して伝送誤りが頻繁に発生する。このような無線通信システムにおいて通信の信頼性を確保するために、自動再送制御（ＡＲＱ）が広く用いられている。さらに、近年では、ＡＲＱと前方誤り訂正（ＦＥＣ）とを併用するハイブリッド自動再送制御（ＨＡＲＱ）が実用化されている。
【０００３】
ＨＡＲＱでは、送信側の無線通信装置（以下、送信装置）は、符号化されたビット系列を受信側の無線通信装置（以下、受信装置）に送信する。受信装置は、送信装置から１回目に受信したビット系列の誤り訂正復号を行う。そして、復号後のビット系列をＣＲＣによりチェックしてエラーが生じた場合、当該ビット系列の再送を送信装置に要求する。
【０００４】
送信装置は、再送が要求されると、送信済みのビット系列を受信装置に再送する。受信装置は、１回目に受信したビット系列を保存しており、送信装置から再送されたビット系列を受信すると、保存しているビット系列と、再送されたビット系列とを合成し、合成したビット系列の誤り訂正復号を行う（特許文献１参照）。そして、復号後のビット系列をＣＲＣによりチェックしてエラーが生じた場合、当該ビット系列の再送を送信装置に改めて要求する。
【特許文献１】特開２００８-１７４８７号公報（［要約］など）
【発明の開示】
【発明が解決しようとする課題】
【０００５】
しかしながら、上述したＨＡＲＱには、次のような問題がある。具体的には、受信装置は、ビット系列の１回目受信時および当該ビット系列の２回目以降の受信時のそれぞれにおいて、ビット系列全体の誤り訂正復号を行うため、誤り訂正に伴う処理負荷が増大する問題があった。特に、ターボ復号などの複雑な誤り訂正復号方式が採用される場合には、上記の処理負荷が大幅に増大する。
【０００６】
そこで、本発明は、上述した課題を解決するためになされたものであり、自動再送制御が適用される無線通信システムにおいて、誤りを適切に訂正可能であり、且つ誤りの訂正に伴う処理負荷を大幅に低減した無線通信装置および無線通信方法を提供することを目的とする。
【課題を解決するための手段】
【０００７】
上述した課題を解決するために、本発明は以下のような特徴を有している。まず、本発明の第１の特徴は、複数のビットによって構成されるビット系列（符号化ビット系列Ｅ１）を他の無線通信装置（例えば、無線基地局２００）から受信する無線通信装置（例えば、無線端末１００）であって、前記ビット系列を構成する前記ビットの一部からなるブロック（ブロックＢ１〜Ｂ４）毎に誤りビットを含むか否かを判定する誤り判定部（復号部１３０）と、前記誤り判定部によって前記誤りビットを含むと判定された前記ブロックの再送を前記他の無線通信装置に要求する再送要求部（応答送信部１５０）と、前記誤り判定部によって前記誤りビットを含むと判定された前記ブロックを前記他の無線通信装置から複数回受信する受信部（送受信部１２０）と、前記受信部が受信した複数のブロックに基づいて、前記誤りビットを訂正した訂正ビットを決定する決定部（復号部１３０）とを備え、前記決定部は、前記受信部が受信した前記複数のブロックにおいて前記誤りビットと同位置の各ビットを用いた多数決によって、前記訂正ビットを決定することを要旨とする。
【０００８】
このような無線通信装置によれば、決定部は、受信部が受信した複数のブロックにおいて誤りビットと同位置の各ビットを用いた多数決によって、誤りビットを訂正した訂正ビットを決定する。ブロック単位での誤り訂正処理とすることによって、再送時においてビット系列全体の誤り訂正を行う従来手法と比較して、誤り訂正に伴う処理負荷を大幅に低減することができる。
【０００９】
また、複数回受信時において同一の位置で誤りが生じることが希であることを利用して、多数決によって訂正ビットを決定するため、ターボ復号などの複雑な方式と比較して、誤りを容易且つ適切に訂正できる。
【００１０】
本発明の第２の特徴は、本発明の第１の特徴に係り、前記ビット系列は、前記他の無線通信装置において、所定のトレリス線図に従った符号化規則を用いる畳み込み符号化により生成され、前記誤り判定部は、前記符号化規則に反するビットを前記誤りビットとして、前記ブロック毎に前記誤りビットを含むか否かを判定することを要旨とする。
【００１１】
本発明の第３の特徴は、本発明の第２の特徴に係り、前記決定部は、前記符号化規則に応じて、前記訂正ビットの候補である訂正ビット候補を前記誤りビットと同位置のビットそれぞれから生成し、生成した複数の訂正ビット候補間の多数決によって、前記訂正ビットを決定することを要旨とする。
【００１２】
本発明の第４の特徴は、本発明の第１〜第３のいずれ１つの特徴に係り、前記誤り判定部は、前記誤りビットと、前記決定部によって決定された前記訂正ビットとの間のハミング距離またはユークリッド距離を訂正エネルギーとして算出し、前記再送要求部は、前記訂正エネルギーが予め定められた閾値よりも大きい場合に、前記誤りビットを含むと判定された前記ブロックの再送を前記他の無線通信装置に改めて要求することを要旨とする。
【００１３】
本発明の第５の特徴は、複数のビットによって構成されるビット系列を前記他の無線通信装置から受信する無線通信装置において用いられる無線通信方法であって、前記ビット系列を構成する前記ビットの一部からなるブロック毎に誤りビットを含むか否かを判定するステップ（ステップＳ１２０）と、前記判定するステップにおいて前記誤りビットを含むと判定された前記ブロックの再送を前記他の無線通信装置に要求するステップ（ステップＳ１３０、Ｓ１６０）と、前記判定するステップにおいて前記誤りビットを含むと判定された前記ブロックを前記他の無線通信装置から複数回受信するステップ（ステップＳ１１０、Ｓ１４０、Ｓ１７０）と、前記受信するステップにおいて受信した複数のブロックに基づいて、前記誤りビットを訂正した訂正ビットを決定するステップ（ステップＳ１５０、Ｓ１８０）とを備え、前記決定するステップでは、前記受信するステップにおいて受信した前記複数のブロックにおいて前記誤りビットと同位置の各ビットを用いた多数決によって、前記訂正ビットを決定することを要旨とする。
【発明の効果】
【００１４】
本発明によれば、自動再送制御が適用される無線通信システムにおいて、誤りを適切に訂正可能であり、且つ誤りの訂正に伴う処理負荷を大幅に低減した無線通信装置および無線通信方法を提供できる。
【発明を実施するための最良の形態】
【００１５】
次に、図面を参照して、本発明の実施形態を説明する。具体的には、（１）無線通信システムの全体概略構成、（２）無線通信システムの詳細構成、（３）畳み込み符号化および復号処理の一例、（４）無線通信システムの動作例、（５）作用・効果、（６）その他の実施形態について説明する。以下の実施形態における図面の記載において、同一又は類似の部分には同一又は類似の符号を付している。
【００１６】
（１）無線通信システムの全体概略構成
図１は、本実施形態に係る無線通信システム１０の全体概略構成図である。
【００１７】
図１に示すように、無線通信システム１０は、無線端末１００および無線基地局２００を含む。
【００１８】
無線端末１００は、無線基地局２００の通信エリア内に位置しており、無線回線を介して無線基地局２００と通信する。本実施形態では、下り方向の通信について主に説明する。すなわち、本実施形態において無線端末１００は、複数の符号化ビットによって構成される符号化ビット系列を無線基地局２００（他の無線通信装置）から受信する無線通信装置を構成する。
【００１９】
無線通信システム１０には、ＡＲＱが採用されている。無線端末１００は、無線基地局２００から受信したビット系列を正常に復号した場合、復号成功を示す肯定応答（ＡＣＫ）を無線基地局２００に送信する。
【００２０】
無線端末１００は、無線基地局２００から受信したビット系列の復号に失敗した場合、復号失敗を示す否定応答（ＮＡＣＫ）を無線基地局２００に送信する。無線基地局２００は、無線端末１００からＮＡＣＫを受信すると、送信済みのビット系列を無線端末１００に再送する。
【００２１】
（２）無線通信システムの詳細構成
次に、無線通信システム１０の詳細構成、具体的には、（２．１）無線基地局の構成および（２．２）無線端末の構成について説明する。
【００２２】
（２．１）無線基地局の構成
図２は、無線基地局２００の構成を示すブロック図である。図２に示すように、無線基地局２００は、符号化部２１０、送信制御部２２０、記憶部２３０、送受信部２４０およびアンテナ２５０を含む。
【００２３】
符号化部２１０は、無線端末１００に送信する情報ビット系列を符号化し、符号化ビット系列を生成する。ここで、情報ビット系列は、複数の情報ビットによって構成される。符号化ビット系列は、複数の符号化ビットによって構成される。
【００２４】
本実施形態では、符号化部２１０は、畳み込み符号化により、情報ビット系列から符号化ビット系列を生成する。具体的には、複数の情報ビットの数ビット毎に、所定のトレリス線図に従った符号化規則により畳み込み符号化を行う。以下においては、１回の畳み込み符号化によって生成される符号化ビット系列の一部を適宜「ブロック」と称する。当該ブロックは、例えば８〜１２ビットの符号化ビットによって構成される。
【００２５】
送信制御部２２０は、符号化部２１０によって生成された符号化ビット系列を送受信部２４０に渡す。記憶部２３０は、符号化部２１０によって生成された符号化ビット系列を記憶する。
【００２６】
送受信部２４０は、符号化ビット系列を無線端末１００に送信する。具体的には、送受信部２４０は、符号化ビット系列を変調し、変調した符号化ビット系列を増幅およびアップコンバートすることで無線信号を生成し、生成した無線信号をアンテナ２５０を介して無線端末１００に送信する。
【００２７】
送受信部２４０は、無線端末１００が送信したＡＣＫまたはＮＡＣＫを受信すると、ＡＣＫまたはＮＡＣＫを送信制御部２２０に通知する。
【００２８】
送信制御部２２０は、ＮＡＣＫが通知されると、記憶部２３０が記憶する符号化ビット系列のうち、再送が要求されたブロックを取得するとともに、取得したブロックを無線端末１００に再送する。一方、送信制御部２２０は、ＡＣＫが通知されると、記憶部２３０が記憶していた符号化ビット系列を破棄する。
【００２９】
（２．２）無線端末の構成
図３は、無線端末１００の構成を示すブロック図である。図３に示すように、無線端末１００は、アンテナ１１０、送受信部１２０、復号部１３０、記憶部１４０および応答送信部１５０を含む。
【００３０】
送受信部１２０は、無線基地局２００から符号化ビット系列を受信する。具体的には、無線基地局２００からアンテナ１１０を介して無線信号を受信し、受信した無線信号を増幅およびダウンコンバートした後に符号化ビット系列を復調する。このようにして得られた符号化ビット系列は、復号部１３０に入力される。
【００３１】
復号部１３０は、所定のトレリス線図に従った符号化規則により、符号化ビット系列を復号する。本実施形態では、復号部１３０は、硬判定復号により符号化ビット系列を復号するものとする。
【００３２】
復号部１３０は、復号の過程において、上述したブロック毎に誤りビットを含むか否かを判定する。例えば、符号化規則に反する符号化ビットが検出されると、当該ブロックは誤りビットを含むと判定される。このように、復号部１３０は、誤りビットを含むか否かを判定する誤り判定部を構成する。
【００３３】
誤りビットを含まないブロックについては、復号部１３０は、復号により得られた情報ビット系列を復号部１３０に記憶する。一方、誤りビットを含むブロックについては、復号部１３０は、誤りビットを訂正した訂正ビットの候補である訂正ビット候補を生成し、生成した訂正ビット候補を復号部１３０に記憶する。
【００３４】
応答送信部１５０は、誤りビットを含むと判定されたブロックの再送を要求するＮＡＣＫを、送受信部１２０を用いて無線基地局２００に送信する。その際、応答送信部１５０は、再送を要求するブロックを特定可能な情報をＮＡＣＫに含める。
【００３５】
ＮＡＣＫの送信後において、送受信部１２０は、無線基地局２００から再送されたブロックを少なくとも１回受信し、受信した各ブロックを復号部１３０に渡す。すなわち、本実施形態において送受信部１２０は、誤りビットを含むと判定されたブロックを複数回（１回目を含む）受信する受信部を構成する。
【００３６】
復号部１３０は、送受信部１２０が受信した複数のブロックにおいて誤りビットと同位置の各ビットを用いた多数決によって、訂正ビットを決定する。具体的には、復号部１３０は、再送されたブロックについて訂正ビット候補を改めて生成し、記憶部１４０に記憶されている訂正ビット候補を用いて、多数決により訂正ビットを決定する。
【００３７】
このように、本実施形態において復号部１３０は、誤りビットを訂正した訂正ビットを決定する決定部として機能する。なお、復号部１３０は、多数決により決定した訂正ビットを情報ビットに復号する。
【００３８】
（３）畳み込み符号化および復号処理の一例
次に、図４を用いて、符号化部２１０によって実行される符号化処理、および復号部１３０によって実行される復号処理の一例について説明する。
【００３９】
符号化部２１０は、例えば図４（ａ）に示すような構成を有する。図４（ａ）の例では、符号化部２１０は、情報ビットを保持するレジスタ２１１，２１２と、情報ビットを加算する加算器２１３，２１４と、加算器２１３，２１４を交互に切り替える出力スイッチ２１５とを含む。出力スイッチ２１５からは、符号化ビット系列が出力される。
【００４０】
図４（ａ）の符号化部２１０では、１ビットの情報ビットに対して２ビットの符号化ビットが生成される（符号化率１／２）。具体的には、図４（ｂ）上段に示すような情報ビット系列が符号化部２１０に入力されると、符号化部２１０は、図４（ｂ）下段に示すような符号化ビット系列を出力する。このように、符号化ビットは、現在および過去の情報ビットにより定まる。
【００４１】
図４（ｃ）は、情報ビットと、レジスタ２１１，２１２の状態と、符号化ビットとの関係を表すトレリス線図である。図４（ｃ）において、丸印で示すノード（状態）間を結ぶ線はブランチと呼ばれる。各ノードは２つのブランチを有しており、上側のブランチが情報ビット“０”に対応し、下側のブランチが情報ビット“１”に対応する。各ブランチに付されている値が符号化ビットに相当する。
【００４２】
図４（ｃ）から分かるように、各ノード（状態）から次のノード（状態）への遷移は制限されている。このため、復号部１３０は、受信した符号化ビット系列において、図４（ｃ）に示すトレリス線図の状態遷移（符号化規則）に反する符号化ビットを誤りビットとして検出することができる。
【００４３】
また、復号部１３０は、図４（ｃ）に示すトレリス線図の状態遷移に適合した符号化ビットを訂正ビット候補として生成し、生成した訂正ビット候補を記憶部１４０に記憶する。図４（ｃ）に示すトレリス線図の例では、訂正ビット候補は、あるノードに連なる上側および下側のブランチに対応する２つの訂正ビット候補が記憶されることになる。
【００４４】
そして、復号部１３０は、複数回受信による訂正ビット候補の多数決により、多い方の訂正ビット候補を訂正ビットとして決定する。また、復号部１３０は、訂正ビットと符号化ビットとを比較し、訂正エネルギーを算出する。
【００４５】
本実施形態では硬判定復号が採用されるため、訂正エネルギーとしてはハミング距離が用いられる。ハミング距離とは、符号化ビットおよび訂正ビット候補において、異なるビットの数を意味し、例えば、符号化ビット“００”と訂正ビット候補“１１”とのハミング距離は２であり、符号化ビット“００”と訂正ビット候補“０１”とのハミング距離は１である。
【００４６】
応答送信部１５０は、復号部１３０によって算出された訂正エネルギーが予め定められた閾値Ｔｈよりも大きい場合、つまり訂正ビットの信頼性が低い場合には、再送を改めて要求し、上記の多数決が再度実行される。
【００４７】
（４）無線通信システムの動作例
次に、無線通信システム１０の動作例について説明する。具体的には、（４．１）全体概略動作、（４．２）１回目受信動作、（４．３）２回目受信動作について説明する。
【００４８】
（４．１）全体概略動作
図５は、無線通信システム１０の全体概略動作を示す概略シーケンス図である。
【００４９】
ステップＳ１１０において、無線基地局２００は、符号化ビット系列Ｅ１を無線端末１００に送信する。
【００５０】
本動作例では、符号化ビット系列Ｅ１は、図５に示すように、ブロックＢ１〜Ｂ４の４つのブロックを含むものとする。また、本動作例では、無線端末１００は、ブロックＢ２において、トレリス線図の状態遷移に反する符号化ビットを誤りビットとして検出したとする（ステップＳ１２０）。
【００５１】
誤りビットを検出すると、無線端末１００は、トレリス線図の状態遷移に適合した符号化ビットを訂正ビット候補として記憶する。ここでは、記憶される訂正ビット候補が“ａ”であるとする。
【００５２】
ステップＳ１３０において、無線端末１００は、ブロックＢ２の再送を要求するＮＡＣＫを無線基地局２００に送信する。
【００５３】
ステップＳ１４０において、無線基地局２００は、再送が要求されたブロックＢ２を無線端末１００に再送する。
【００５４】
ステップＳ１５０において、無線端末１００は、ブロックＢ２を受信し、ブロックＢ２において、１回目受信時の誤りビットと同位置の符号化ビットについて、トレリス線図の状態遷移に基づいて訂正ビット候補を生成する。ここでは、生成された訂正ビット候補が“ｂ”であるとする。
【００５５】
この場合、１回目受信時の訂正ビット候補“ａ”と２回目受信時の訂正ビット候補“ｂ”とが異なり、多数決により訂正ビットを決定することができないため、無線端末１００は、ブロックＢ２の再送を要求するＮＡＣＫを無線基地局２００に改めて送信する（ステップＳ１６０）。
【００５６】
また、無線端末１００は、誤りビットと同位置の符号化ビットと、生成した訂正ビット候補“ｂ”とを比較し、訂正エネルギー“ｘ”を算出する。そして、無線端末１００は、生成した訂正ビット候補“ｂ”と、算出した訂正エネルギー“ｘ”とを記憶する。
【００５７】
なお、２回目受信時の訂正ビット候補が１回目受信時と同様に“ａ”である場合には、多数決により、“ａ”が訂正ビットとして決定されることになる。
【００５８】
ステップＳ１７０において、無線基地局２００は、再送が要求されたブロックＢ２を無線端末１００に再送する。
【００５９】
ステップＳ１８０において、無線端末１００は、ブロックＢ２を受信し、ブロックＢ２において、１回目受信時の誤りビットと同位置の符号化ビットについて、トレリス線図の状態遷移に基づいて訂正ビット候補を生成する。ここでは、生成された訂正ビット候補が“ｂ”であるとする。また、無線端末１００は、誤りビットと同位置の符号化ビットと、生成した訂正ビット候補“ｂ”とを比較し、訂正エネルギー“ｙ”を算出する。
【００６０】
この場合、１回目受信時の訂正ビット候補“ａ”と、２回目受信時の訂正ビット候補“ｂ”と、３回目受信時の訂正ビット候補“ｂ”との多数決により、“ｂ”が訂正ビットとして決定される。
【００６１】
“ｂ”が訂正ビットとして決定された場合、無線端末１００は、“ｂ”について算出した訂正エネルギー“ｘ”および“ｙ”を閾値Ｔｈと比較する。“ｘ”および“ｙ”が閾値Ｔｈ以下であれば、無線端末１００は、訂正ビット“ｂ”の信頼性が高いとして、ブロックＢ２の復号に成功したと判断し、ＡＣＫを無線基地局２００に送信する（ステップＳ１９０）。
【００６２】
（４．２）１回目受信動作
次に、図６を用いて、１回目受信時における無線端末１００の動作、すなわち、図５のステップＳ１２０の詳細について説明する。
【００６３】
ステップＳ１２１において、無線端末１００の復号部１３０は、符号化ビット系列Ｅ１に含まれるブロックＢ１〜Ｂ４を復号する。その際、復号部１３０は、ブロックＢ１〜Ｂ４のそれぞれについて、トレリス線図の状態遷移に反する誤りビットを含むか否かを判定する。
【００６４】
ステップＳ１２２において、無線端末１００の復号部１３０は、トレリス線図の状態遷移に反する誤りビットを含むブロックが検出されたか否かを判定する。誤りビットを含むブロックが検出されない場合には、処理がステップＳ１２３に進み、誤りビットを含むブロックが検出された場合には、処理がステップＳ１２４に進む。
【００６５】
ステップＳ１２３において、無線端末１００の応答送信部１５０は、符号化ビット系列Ｅ１を正常に受信したことを示すＡＣＫを無線基地局２００に送信する。
【００６６】
ステップＳ１２４において、応答送信部１５０は、誤りビットを含むブロックの再送を要求するＮＡＣＫを無線基地局２００に送信する。また、復号部１３０は、誤りビットについて、トレリス線図の状態遷移に適合した符号化ビットを訂正ビット候補として記憶部１４０に記憶する。さらに復号部１３０は、誤りビットと訂正ビット候補との間の訂正エネルギーを算出し、算出した訂正エネルギーを記憶部１４０に記憶する。
【００６７】
なお、図５の動作例の場合、ステップＳ１２２において誤りビットを含むブロックＢ２が検出され、応答送信部１５０は、ステップＳ１２４においてブロックＢ２の再送を要求するＮＡＣＫを無線基地局２００に送信する。
【００６８】
（４．３）２回目受信動作
次に、図７を用いて、２回目受信時における無線端末１００の動作、すなわち、図５のステップＳ１５０の詳細について説明する。ただし、３回目受信時における無線端末１００の動作（図５のステップＳ１８０）は、図５のステップＳ１５０と同様であるため、説明を省略する。
【００６９】
ステップＳ１５１において、無線端末１００の復号部１３０は、再送されたブロックを受信し、当該ブロックにおいて、１回目受信時の誤りビットと同位置の符号化ビットについて、トレリス線図の状態遷移に基づいて訂正ビット候補を生成する。
【００７０】
ステップＳ１５２において、無線端末１００の復号部１３０は、誤りビットと同位置の符号化ビットと、生成した訂正ビット候補とを比較し、訂正エネルギーを算出する。そして、無線端末１００は、生成した訂正ビット候補と、算出した訂正エネルギーとを記憶部１４０に記憶する。
【００７１】
ステップＳ１５３において、無線端末１００の復号部１３０は、１回目受信時に生成された訂正ビット候補と、２回目受信時に生成された訂正ビット候補とが一致するか否かを判定する。１回目受信時に生成された訂正ビット候補と２回目受信時に生成された訂正ビット候補とが一致する場合には、処理がステップＳ１５４に進み、一致しない場合には、処理がステップＳ１５６に進む。
【００７２】
ステップＳ１５４において、無線端末１００の復号部１３０は、１回目受信時に算出された訂正エネルギーおよび２回目受信時に算出された訂正エネルギーのそれぞれが閾値Ｔｈ以下であるか否かを判定する。１回目受信時に算出された訂正エネルギーおよび２回目受信時に算出された訂正エネルギーのそれぞれが閾値Ｔｈ以下である場合には、処理がステップＳ１５５に進み、閾値Ｔｈを超える場合には、処理がステップＳ１５６に進む。
【００７３】
ステップＳ１５５において、無線端末１００の応答送信部１５０は、ＡＣＫを無線基地局２００に送信する。
【００７４】
一方、ステップＳ１５６において、応答送信部１５０は、誤りビットを含むと判定されたブロックの再送を要求するＮＡＣＫを無線基地局２００に送信する。また、復号部１３０は、ステップＳ１５１で生成した訂正ビット候補と、ステップＳ１５２で算出した訂正エネルギーとを記憶部１４０に記憶する。
【００７５】
なお、図５の動作例の場合、ステップＳ１５３において、１回目受信時の訂正ビット候補“ａ”と２回目受信時の訂正ビット候補“ｂ”とが一致しないと判定され、応答送信部１５０は、ステップＳ１５６においてブロックＢ２の再送を要求するＮＡＣＫを無線基地局２００に送信する。
【００７６】
（５）作用・効果
以上説明したように、無線端末１００の復号部１３０は、符号化ビット系列を構成する複数の符号化ビットの一部からなるブロック毎に誤りビットを含むか否かを判定する。応答送信部１５０は、誤りビットを含むと判定されたブロックの再送を無線基地局２００に要求する。送受信部１２０は、誤りビットを含むと判定されたブロックを無線基地局２００から複数回受信する。そして、復号部１３０は、送受信部１２０が受信した複数のブロックにおいて誤りビットと同位置の各ビットを用いた多数決によって、訂正ビットを決定する。
【００７７】
このように、ブロック単位での多数決による誤り訂正処理とすることによって、再送時において符号化ビット系列全体の誤り訂正を行う従来手法と比較して、誤り訂正処理に伴う処理負荷を大幅に低減することができる。特に、無線端末１００がバッテリにより駆動される場合には、無線端末１００の処理負荷を大幅に低減することによって消費電力が低減されるため、無線端末１００の駆動可能時間を延長することができる。
【００７８】
また、複数回受信時において同一の位置で誤りが生じることが希であることを利用して、多数決によって訂正ビットを決定するため、ターボ復号などの複雑な方式と比較して、誤りを容易且つ適切に訂正できる。このような多数決による訂正ビットの決定処理は、再送回数が多いほど精度が高くなることは明らかである。
【００７９】
さらに、本実施形態では、符号化ビット系列は、無線基地局２００において、所定のトレリス線図に従った符号化規則を用いる畳み込み符号化により生成される。復号部１３０は、当該符号化規則に反するビットを誤りビットとして、ブロック毎に誤りビットを含むか否かを判定する。したがって、誤りビットをブロック単位で適切に検出可能となる。
【００８０】
本実施形態では、復号部１３０は、所定のトレリス線図に従った符号化規則に応じて、訂正ビットの候補である訂正ビット候補を誤りビットと同位置のビットそれぞれから生成し、生成した複数の訂正ビット候補間の多数決によって、訂正ビットを決定する。このため、誤りビットを精度良く訂正できる。
【００８１】
本実施形態では、復号部１３０は、誤りビットと訂正ビットとの間のハミング距離を訂正エネルギーとして算出し、応答送信部１５０は、訂正エネルギーが予め定められた閾値Ｔｈよりも大きい場合に、誤りビットを含むと判定されたブロックの再送を無線基地局２００に改めて要求する。したがって、訂正ビットの信頼性が低い場合には、多数決をやり直すことができ、誤りビットをさらに精度良く訂正できる。
【００８２】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８３】
例えば、上述した実施形態では、硬判定復号が採用されていたが、軟判定復号が採用されてもよい。軟判定復号の場合、訂正エネルギーとしては、ユークリッド距離（尤度）を用いることができる。
【００８４】
また、上述した実施形態では、下り方向の通信について主に説明したが、上り方向の通信についても本発明を適用可能である。この場合、無線基地局２００は、複数のビットによって構成されるビット系列を無線端末１００（他の無線通信装置）から受信する無線通信装置を構成する。
【００８５】
上述した実施形態では、畳み込み符号化されたビット系列である符号化ビット系列を無線端末１００が受信する場合について説明した。しかしながら、符号化ビット系列を受信する場合に限らず、符号化されていないビット系列である情報ビット系列を無線端末１００が受信してもよい。このような場合に対しても、本発明に係る多数決処理を適用可能である。
【００８６】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００８７】
【図１】本発明の実施形態に係る無線通信システムの全体概略構成図である。
【図２】本発明の実施形態に係る無線基地局の構成を示すブロック図である。
【図３】本発明の実施形態に係る無線端末の構成を示すブロック図である。
【図４】本発明の実施形態に係る符号化部によって実行される符号化処理、および復号部によって実行される復号処理の一例を説明するための図である。
【図５】本発明の実施形態に係る無線通信システムの全体概略動作を示す概略シーケンス図である。
【図６】図５のステップＳ１２０の詳細を示すフローチャートである。
【図７】図５のステップＳ１５０の詳細を示すフローチャートである。
【符号の説明】
【００８８】
Ｂ１〜Ｂ４…ブロック、Ｅ１…符号化ビット系列、１０…無線通信システム、１００…無線端末、１１０…アンテナ、１２０…送受信部、１３０…復号部、１４０…記憶部、１５０…応答送信部、２００…無線基地局、２１０…符号化部、２１１，２１２…レジスタ、２１３，２１４…加算器、２１５…出力スイッチ、２２０…送信制御部、２３０…記憶部、２４０…送受信部、２５０…アンテナ
【図１】
2010010952.tif 000003
【図２】
2010010952.tif 000004
【図３】
2010010952.tif 000005
【図４】
2010010952.tif 000006
【図５】
2010010952.tif 000007
【図６】
2010010952.tif 000008
【図７】
2010010952.tif 000009